(57)【要約】【課題】フィルターネジが形成されていないカメラに対しても、また、従来はアクセサリーレンズの使用を想定していないカメラ内蔵の携帯電話等の製品に対しても容易に装着することが可能なアクセサリーレンズを提供すること。【解決手段】カメラに装着される座金（４）と、該座金（４）に連結されることによりカメラに装着されるアクセサリーレンズ本体（２）と、により構成され、前記アクセサリーレンズ本体（２）は、カメラへの装着側に、マグネットあるいは磁性体により構成される吸着部（３）が形成されており、前記座金（４）は、前記アクセサリーレンズ本体（２）における吸着部（３）に吸着可能な磁性体あるいはマグネットにより構成され、これにより、両面テープ等を用いてカメラ等に座金（４）を装着しておくことで、座金（４）を介し、磁力によってアクセサリーレンズをカメラ等に装着することができる。【選択図】　　　　　　　図１
0003098262.tif 000002
【実用新案登録請求の範囲】
【請求項１】
カメラ、カメラ内蔵の携帯電話等に装着されるアクセサリーレンズであって、
カメラ等に装着される座金（４）と、
該座金（４）に連結されることによりカメラ等に装着されるアクセサリーレンズ本体（２）と、により構成され、
前記アクセサリーレンズ本体（２）は、カメラ等への装着側に、マグネットあるいは磁性体により構成される吸着部（３）が形成されており、
前記座金（４）は、前記アクセサリーレンズ本体（２）における吸着部（３）に吸着可能な磁性体あるいはマグネットにより構成されている、ことを特徴とするアクセサリーレンズ。
【考案の詳細な説明】
【０００１】
【考案が属する技術分野】
本考案は、カメラ、あるいはカメラ内蔵携帯電話等のカメラを内蔵した製品に用いる、コンバージョンレンズ、フィルターレンズ等のアクセサリーレンズに係り、より詳しくは、アクセサリーレンズ本体と、このアクセサリーレンズ本体に一端面において連結されるとともに、他端面においてカメラ等に装着される座金とにより構成され、座金とアクセサリーレンズ本体との連結を磁力により行なうことを可能としたアクセサリーレンズに関する。
【０００２】
【従来の技術】
周知のとおり、特にハイグレードなカメラでは、望遠レンズ、広角レンズ等のコンバージョンレンズやフィルターレンズ等のいわゆるアクセサリーレンズを装着可能としている。
【０００３】
即ち、これらのカメラでは、レンズ周辺部にフィルターネジが形成されているとともに、アクセサリーレンズ側にはこのフィルターネジに螺合可能なネジが形成されており、これにより、状況等に応じて、アクセサリーレンズ等をカメラに装着可能としている。そのため、これらのカメラでは、望遠撮影、広角撮影等を好みに合わせて行なうことができて、カメラの使用範囲を広げることが可能である。
【０００４】
【考案が解決しようとする課題】
しかしながら、いわゆるミドルクラスと呼ばれるカメラでは、このフィルターネジが形成されておらず、そのためにコンバージョンレンズ等のアクセサリーレンズの使用が不可能となっている。
【０００５】
例えば、近年、３２０万画素程度のデジタルカメラが流行しており、これらのカメラは一般的にミドルクラスといわれているが、これらのミドルクラスのカメラではフィルターネジが形成されていないために、これに望遠レンズ、広角レンズ等のコンバージョンレンズ等を装着することは不可能であり、そのために使用範囲が限定されてしまうという問題点が考えられる。
【０００６】
また、フィルターネジが形成されている場合であっても、フィルター径によって、使用可能なコンバージョンレンズ等が制限を受けてしまい、好みのコンバージョンレンズ等を使用できない、という問題点も考えられる。
【０００７】
更に、コンバージョンレンズ等の装着に際しては、このフィルターネジの方式の他に、レンズアダプター等を用いてコンバージョンレンズ等を装着する方法も提供されているが、このレンズアダプターを用いる場合には、コンバージョンレンズ等の装着の度ごとにこれをカメラに装着しなければならず、煩わしさに耐えないという問題点がある。
【０００８】
更にまた、近年流行しているカメラ内蔵の携帯電話等のカメラを内蔵した製品では、アクセサリーレンズの装着を前提としていない構成のために、アクセサリーレンズの使用は不可能である。
【０００９】
そこで、本考案は、フィルターネジが形成されていないカメラに対しても、また、従来はアクセサリーレンズの使用を想定していないカメラ内蔵の携帯電話等の製品に対しても容易に装着することが可能なアクセサリーレンズを提供することを課題としている。
【００１０】
【課題を解決するための手段】
本考案のアクセサリーレンズは、
カメラ、カメラ内蔵の携帯電話等に装着されるアクセサリーレンズであって、
カメラ等に装着される座金と、
該座金に連結されることによりカメラ等に装着されるアクセサリーレンズ本体と、により構成され、
前記アクセサリーレンズ本体は、カメラ等への装着側に、マグネットあるいは磁性体により構成される吸着部が形成されており、
前記座金は、前記アクセサリーレンズ本体における吸着部に吸着可能な磁性体あるいはマグネットにより構成されている、ことを特徴としている。
【００１１】
本考案のアクセサリーレンズでは、カメラ等に装着される座金と、この座金に連結されることにより間接的にカメラ等に装着されるアクセサリーレンズ本体とを備えているとともに、アクセサリーレンズ本体には、マグネットあるいは磁性体により構成される吸着部を備え、座金は前記吸着部に吸着可能なマグネットあるいは磁性体により構成されており、磁力によって、座金とアクセサリーレンズ本体を互いに吸着可能としている。
【００１２】
そのため、両面テープ等を用いて、カメラ等におけるレンズ周辺部に座金を装着しておくことにより、磁力によって、座金を介してアクセサリーレンズをカメラに装着することができる。
【００１３】
したがって、本考案のアクセサリーレンズでは、フィルターネジが形成されていないカメラの場合であっても、また、従来からアクセサリーレンズの装着を想定していないカメラ内蔵の携帯電話等に対しても、容易にこれを装着することができ、いわゆるミドルクラスといわれるカメラやカメラ内蔵の携帯電話の使用範囲を広げることができる。
【００１４】
また、本考案のアクセサリーレンズでは、磁力を利用してカメラ等に装着する方式を採用しているために、座金を予めカメラ等の側に装着しておくことで、状況等に応じて、好みのコンバージョンレンズ、フィルターレンズ等のアクセサリーレンズをカメラ等に装着することができる。
【００１５】
【考案の実施の形態】
本考案のアクセサリーレンズでは、アクセサリーレンズ本体と座金とにより構成されており、座金は、カメラ等におけるレンズ周辺に装着可能な略リング形状としており、その全体を、マグネットあるいは磁性体により構成している。また、アクセサリーレンズ本体には、マグネットあるいは磁性体により構成される吸着部を備えており、これにより、カメラ等に座金を装着した状態において、アクセサリーレンズ本体を、磁力によって座金に吸着可能とし、座金を介して、アクセサリーレンズ本体をカメラに装着可能としている。
【００１６】
【実施例】
本考案のアクセサリーレンズの実施例について図面を参照して説明すると、図１は本実施例のアクセサリーレンズ１を示す図である。そして、本実施例におけるアクセサリーレンズは、デジタルカメラ等に装着されるコンバージョンレンズを示しており、アクセサリーレンズ本体と、このアクセサリーレンズ本体が一端面に吸着されるとともに、他端面がカメラに装着される座金により構成されている。
【００１７】
即ち、図において２がアクセサリーレンズ本体であり、本実施例においてこのアクセサリーレンズ本体２は、従来から用いられているコンバージョンレンズと同様の構成としており、望遠、広角等のすべてのコンバージョンレンズが含まれる。
【００１８】
ここで、図２は、前記アクセサリーレンズ本体２の構造を説明するための断面図であり、本実施例においてこのアクセサリーレンズ本体２は、筐体２０１内にレンズ２０２を備えた構成としており、このレンズ２０２としては、望遠レンズ、広角レンズ等が考えられる。
【００１９】
また、カメラに装着される側には、略リング状の吸着部３が、一端面を露出するような配置で装着されており、吸着部３の露出面を吸着面としれている。そして、本実施例においてこの吸着部３は、マグネットにより構成している。なお、装着の方法は特に限定されず、接着、係止等いずれでもよい。
【００２０】
次に、図１において４は座金であり、本実施例においてこの座金４は、カメラにおけるレンズ周辺部の寸法に対応させた略リング状としており、その全体を金属等の磁性体により構成している。
【００２１】
そのため、本実施例のアクセサリーレンズ１では、磁力によって、アクセサリーレンズ本体２における吸着部３に座金４を吸着させることが可能であり、そのために、予め座金４をカメラに装着しておくことで、容易に、アクセサリーレンズ本体２をカメラに装備することが可能である。
【００２２】
次に、本実施例のアクセサリーレンズの使用方法について説明すると、図３において、予め、カメラ５におけるレンズ５０１の周辺部５０２に、両面テープ等を用いて座金４を装着する。
【００２３】
次に、アクセサリーレンズ本体２における吸着部３の吸着面を前記座金４に重ね合わせる。そうすると、磁力によって、座金４にアクセサリーレンズ本体２を吸着させることができ、これにより、カメラ５にアクセサリーレンズ本体２を装備することが可能となる。
【００２４】
このように、本実施例のアクセサリーレンズでは、吸着部を備えたアクセサリーレンズ本体と、一端面において前記アクセサリーレンズ本体における吸着面に吸着可能であり、他端面においてカメラに装着される座金により構成されるとともに、前記吸着面と座金とを、磁力により互いに吸着可能としている。そのために、予め座金をカメラにおけるレンズ部周辺に装着しておくことにより、容易にアクセサリーレンズ本体を装着でき、したがって、フィルターネジを備えていないカメラの場合でも、コンバージョンレンズを装備することが可能である。
【００２５】
なお、前述の実施例では、アクセサリーレンズ本体における吸着部をマグネットにより構成し、座金を金属等の磁性体により構成した場合について説明したが、本考案のカメラ用コンバージョンレンズは、磁力を用いてカメラに装着可能とした点を特徴としているために、必ずしも吸着部をマグネットにより構成するとともに座金を磁性体により構成する必要は無い。したがって、例えば、座金をマグネットにより構成するとともに吸着部を磁性体により構成してもよく、あるいは、双方ともマグネットにより構成してもよい。
【００２６】
また、前述の実施例では、カメラに装着されるコンバージョンレンズについて説明したが、本考案のアクセサリーレンズは、必ずしもカメラに装着されるコンバージョンレンズには限定されず、カメラ等に装着されるアクセサリーレンズ全般について適用可能である。従って、カメラ等に装着されるフィルターレンズ等も含まれ、また、従来はアクセサリーレンズの装着が想定されていなかったカメラ内蔵の携帯電話等にも適用可能である。
【００２７】
【考案の効果】
本考案のアクセサリーレンズは以上説明した形態で実施され、以下に記載するような効果を奏する。
【００２８】
本考案のアクセサリーレンズでは、カメラ等に装着される座金と、この座金に連結されることにより間接的にカメラ等に装着されるアクセサリーレンズ本体とを備えているとともに、アクセサリーレンズ本体には、マグネットあるいは磁性体により構成される吸着部を備え、座金は前記吸着部に吸着可能なマグネットあるいは磁性体により構成されており、磁力によって、座金とアクセサリーレンズ本体を互いに吸着可能としている。
【００２９】
そのため、両面テープ等を用いて、カメラ等におけるレンズ周辺部に座金を装着しておくことにより、磁力によって、座金を介してアクセサリーレンズをカメラに装着することができ、フィルターネジが形成されていないカメラ等の場合であっても、また、従来からアクセサリーレンズの装着を想定していないカメラ内蔵の携帯電話等に対しても、容易にこれを装備することができる。
【００３０】
また、本考案のアクセサリーレンズでは、磁力を利用してカメラに装着する方式を採用しているために、座金を予めカメラ側に装着しておくことで、状況等に応じて、好みのコンバージョンレンズ、フィルターレンズ等のアクセサリーレンズをカメラ等に装着することができる。
【図面の簡単な説明】
【図１】本考案のアクセサリーレンズの実施例を示す斜視図である。
【図２】本考案のアクセサリーレンズの実施例におけるアクセサリーレンズ本体の構造を説明するための断面図である。
【図３】本考案のアクセサリーレンズの実施例の使用方法を説明するための図である。
【符号の説明】
１　　コンバージョンレンズ
２　　アクセサリーレンズ本体
２０１　　アクセサリーレンズ本体の筐体
２０２　　アクセサリーレンズ本体のレンズ
３　　吸着部
４　　座金
５　　カメラ
【図１】
0003098262.tif 000003
【図２】
0003098262.tif 000004
【図３】
0003098262.tif 000005